(57)【要約】
【目的】　容易に棒状部材の高さ位置を変更することができるようにする。
【構成】　壁面４００に取り付けられる取付部材２００に開設された開口部２１０を介して取付部材２００に固定された状態で、棒状部材３００を支持する棒状部材支持部材であって、支持すべき棒状部材３００の外形に対応した形状を有する支持部１１０Ａと、この支持部１１０Ａから延設されており、前記開口部２１０に挿入して係止される係止部１２０Ａとを備えており、前記係止部１２０Ａは、取付部材２００に取り付けられた状態で壁面４００に接触するように形成されている。
【選択図】　　　図３
0003099960.tif 000002
【実用新案登録請求の範囲】
【請求項１】
　壁面に取り付けられる取付部材に開設された開口部を介して取付部材に固定された状態で、棒状部材を支持する棒状部材支持部材であって、支持すべき棒状部材の外形に対応した形状を有する支持部と、この支持部から延設されており、前記開口部に挿入して係止される係止部とを具備しており、前記係止部は、取付部材に取り付けられた状態で、壁面に接触することを特徴とする棒状部材支持部材。
【請求項２】
　前記支持部から係止部が延設された部分には、切欠部が形成されており、この切欠部の幅寸法及び奥行き寸法は、取付部材の幅寸法及び奥行き寸法より若干大きく設定されていることを特徴とする請求項１記載の棒状部材支持部材。
【請求項３】
　前記支持部の開放側の両端の間隔は、支持すべき棒状部材の外寸より若干小さく設定されており、かつ支持部の最大内寸は、支持すべき棒状部材の外寸とほぼ等しく設定されていることを特徴とする請求項３記載の棒状部材支持部材。
【請求項４】
　前記支持部の両端は外側に向かって拡張されていることを特徴とすることを特徴とする請求項１、２又は３記載の棒状部材支持部材。
【請求項５】
　前記棒状部材は、パイプ材であることを特徴とする請求項１、２、３又は４記載の棒状部材支持部材。
【考案の詳細な説明】
【技術分野】
【０００１】
　本考案は、壁面に取り付けられた取付部材に、パイプ材等の棒状部材を取り付ける棒状部材支持部材に関する。
【背景技術】
【０００２】
　室内や押入れの壁面や、家具の内側の壁面に棒状部材を取り付けるパイプブラケットとしては、実公平７−５１０１２号公報（特許文献１）記載のものがある。これは、所定の高さに架設された複数本の梁材と、この梁材に吊り下げ固定した連結金具と、連結金具の屈曲した先端にさんちしてハンガーを掛ける横架材とからなり、連結金具は、横架材の底部を載置する先端部から下方へ延長され、且つ横架材に掛けたハンガーのフック部が当たらないように側方から梁材まで湾曲した側面鉤形状の載置部を形成したことを特徴とするものである。
【０００３】
【特許文献１】実公平７−５１０１２号公報
【考案の開示】
【考案が解決しようとする課題】
【０００４】
　しかしながら、この特許文献１に記載されているものは、上側から横架材を支持するものであって、高さの変更が容易にできないという問題点があった。
【０００５】
　本考案は、棒状部材の高さを容易に変更することができる棒状部材支持部材を提供することを目的としている。
【課題を解決するための手段】
【０００６】
　本考案に係る棒状部材支持部材は、壁面に取り付けられる取付部材に開設された開口部を介して取付部材に固定された状態で、棒状部材を支持する棒状部材支持部材であって、支持すべき棒状部材の外形に対応した形状を有する支持部と、この支持部から延設されており、前記開口部に挿入して係止される係止部とを備えており、前記係止部は、取付部材に取り付けられた状態で、壁面に接触するようになっている。
【０００７】
　また、前記支持部から係止部が延設された部分には、切欠部が形成されており、この切欠部の幅寸法及び奥行き寸法は、取付部材の幅寸法及び奥行き寸法より若干大きく設定されている。
【０００８】
　さらに、前記支持部の開放側の両端の間隔は、支持すべき棒状部材の外寸より若干小さく設定されており、かつ支持部の最大内寸は、支持すべき棒状部材の外寸とほぼ等しく設定されている。
【考案の効果】
【０００９】
　本考案に係る棒状部材支持部材は、壁面に取り付けられる取付部材に開設された開口部を介して取付部材に固定された状態で、棒状部材を支持する棒状部材支持部材であって、支持すべき棒状部材の外形に対応した形状を有する支持部と、この支持部から延設されており、前記開口部に挿入して係止される係止部とを備えており、前記係止部は、取付部材に取り付けられた状態で、壁面に接触するようになっているので、棒状部材支持部材の取付部材への取り付けの際に、壁面や壁面に貼り付けられた壁紙等を破損するおそれは少なくなる。また、係止部を係止する開口部を変更することにより、棒状部材の高さを容易に変更することができる。
【００１０】
　また、前記支持部から係止部が延設された部分には、切欠部が形成されており、この切欠部の幅寸法及び奥行き寸法は、取付部材の幅寸法及び奥行き寸法より若干大きく設定されていると、棒状部材支持部材を取付部材に取り付けた状態では、棒状部材支持部材の支持部の奥側縁部は、壁面に密着するので、取付部材への棒状部材支持部材の取り付けは強固なものとすることができる。
【００１１】
　さらに、前記支持部の開放側の両端の間隔は、支持すべき棒状部材の外寸より若干小さく設定されており、かつ支持部の最大内寸は、支持すべき棒状部材の外寸とほぼ等しく設定されていると、棒状部材支持部材に対する棒状部材の取り付けが強固なものとなる。
【００１２】
　また、前記支持部の両端は外側に向かって拡張されていると、棒状部材を支持部に支持させる場合の誘いとして作用するので、棒状部材の支持部への取り付け作業が容易なものとなる。
【００１３】
前記棒状部材がパイプ材であると、ハンガー掛けとしての利用価値が高くなる。
【考案を実施するための最良の形態】
【００１４】
　図１は本考案に係る棒状部材支持部材の図面であって、同図（Ａ）は概略的平面図、同図（Ｂ）は概略的正面図、同図（Ｃ）は概略的側面図、図２は本考案に係る棒状部材支持部材を取付部材に取り付けた状態を示す概略的斜視図、図３は本考案に係る棒状部材支持部材を取付部材に取り付けた状態を示す概略的断面図、図４は本考案に係る棒状部材支持部材を取付部材に取り付ける手順を示す概略的説明図、図５は本考案に係る棒状部材支持部材を用いて棒状部材を取り付けた状態を示す概略的側面図、図６は本考案に係る他の棒状部材支持部材の概略的斜視図である。
【００１５】
　本考案に係る棒状部材支持部材１００Ａは、壁面４００に取り付けられる取付部材２００に開設された開口部２１０を介して取付部材２００に固定された状態で、棒状部材３００を支持する棒状部材支持部材であって、支持すべき棒状部材３００の外形に対応した形状を有する支持部１１０Ａと、この支持部１１０Ａから延設されており、前記開口部２１０に挿入して係止される係止部１２０Ａとを備えており、前記係止部１２０Ａは、取付部材２００に取り付けられた状態で、壁面４００に接触するようになっている。
【００１６】
　まず、この棒状部材支持部材１００Ａの説明の前に、この棒状部材支持部材１００Ａが取り付けられる取付部材２００について図２等を参照しつつ説明する。
　この取付部材２００は、棒状のものであって、室内や押入れの壁面４００や、家具の内側の壁面４００に垂直に取り付けられるものである。かかる取付部材２００は、横断面視略凹字形状になっている。すなわち、この取付部材２００は、横長の長方形の開口部２１０が所定間隔で開設された正面部２２０と、この正面部２２０の両側面から略直角に折曲された折曲部２３０とを有している。また、前記正面部２２０には、取付部材２００を壁面４００に取り付けるためのビス孔（図示省略）が所定間隔で開設されている。よって、この取付部材２００を壁面４００に取り付けた状態では、前記正面部２２０と壁面４００との間には、折曲部２３０に相当する隙間Ｇ（図３及び図４参照）が形成されていることになる。なお、この取付部材２００は、ステンレス等の金属で形成されることが多いが、合成樹脂で形成することも可能である。
【００１７】
　この取付部材２００は、長さ寸法が５００ｍｍ、幅寸法Ｗ１が１５ｍｍ、奥行き寸法Ｄ１、すなわち折曲部２３０の深さが５ｍｍに設定されている。また、前記開口部２１０は、１２ｍｍ間隔で開設されている。
【００１８】
　また、棒状部材３００としては、例えばステンレス等からなるパイプ材が用いられる。
【００１９】
　本考案に係る棒状部材支持部材１００Ａは、向かい合わせになった壁面４００にそれぞれ取り付けられた前記取付部材２００に取り付けられ、取付部材１００の間、すなわち壁面４００の間に棒状部材３００を取り付けるものである。
【００２０】
　この棒状部材支持部材１００Ａは、金属板を折曲等して形成したものである。この棒状部材支持部材１００Ａの支持部１１０Ａは、棒状部材３００がパイプ材であると、パイプ材の円形の外形に対応した上向きの略Ｕ字形状に形成されている。かかる支持部１１０Ａの両端は、外側に向かって若干拡張されている。この支持部１１０Ａの開放側の両端の若干の拡張は、パイプ材である棒状部材３００を支持部１１０Ａに支持させる場合の誘いとして作用する。
【００２１】
　また、この支持部１１０Ａの開放側の両端の間隔Ｇ１は、支持すべき棒状部材３００であるパイプ材の直径（外寸）より若干小さく設定されている。従って、パイプ材である棒状部材３００を支持部１１０Ａに支持させる場合には、上側から棒状部材３００を支持部１１０Ａに向かって押し込むようにする。
【００２２】
　さらに、この支持部１１０Ａの最大内径Ｒ（内寸）は、支持すべき棒状部材３００であるパイプ材の直径（外寸）とほぼ等しく設定されている。
【００２３】
　一方、この支持部１１０Ａの最も下側には、前記取付部材２００の幅寸法Ｗ１より若干大きい幅寸法Ｗ２を有する切欠部１１１Ａが形成されている。また、この切欠部１１１Ａの奥行き寸法Ｄ２は、前記取付部材２００の奥行き寸法Ｄ１より若干大きいく設定されている。従って、前記取付部材２００は、棒状部材支持部材１００Ａの支持部１１０Ａの切欠部１１１Ａの内側に嵌まり込むことが可能になっている。
【００２４】
　また、この切欠部１１１Ａからは、下向きに係止部１２０Ａが延設されている。この係止部１２０Ａには、図１等に示すように、斜め下方向に突出した舌片であって、切欠部１１１Ａより外側に向かって突出している。従って、この係止部１２０Ａは、壁面４００に取り付けられた取付部材２００に棒状部材支持部材１００Ａを取り付けると、壁面４００に対して当接するようになっている。さらに、前記係止部１２０Ａの奥行き寸法Ｄ３は、切欠部１１１Ａの奥行き寸法Ｄ２とほぼ同等に設定されている。
【００２５】
　次に、上述したような構成の棒状部材支持部材１００Ａの取付部材２００に対する取り付け作業について説明する。
　なお、壁面４００には、図示しないビスを用いて予め取付部材２００が取り付けられているものとする。
　図４に示すように、棒状部材支持部材１００Ａの係止部１２０Ａの下端を取付部材２００の開口部２１０に挿入すると、係止部１２０Ａの下端は、取付部材２００と壁面４００との間の隙間Ｇに位置する。この状態で、棒状部材支持部材１００Ａを上方向（図４に示す矢印Ａ方向）に回転させる。すると、この棒状部材支持部材１００Ａの回転は、係止部１２０Ａの中腹部が壁面４００に当接しながら行われる。すなわち、壁面４００に壁紙等が貼り付けられていたとしても、棒状部材支持部材１００Ａの取り付けの際に、前記壁紙等が破損するおそれは少なくなる。
【００２６】
　棒状部材支持部材１００Ａを上方向に回転させ終わると、係止部１２０Ａの先端が壁面４００に当接する（図３参照）。しかも、支持部１１０Ａに形成された切欠部１１１Ａの内側には、取付部材２００が入り込む。従って、棒状部材支持部材１００Ａは、取付部材２００をあたかも跨いだかのようにして取付部材２００に取り付けられる。しかも、棒状部材支持部材１００Ａの支持部１１０Ａの奥側縁部は、壁面４００に密着する。
【００２７】
　このようにして棒状部材支持部材１００Ａは、取付部材２００に対して固定されるのである。
【００２８】
　図５に示すように、対向する壁面４００にそれぞれ取り付けられた取付部材２００に、同じ高さに位置する開口部２１０にそれぞれ棒状部材支持部材１００Ａを取り付け、両棒状部材支持部材１００Ａの支持部１１０Ａに上側からパイプ材である棒状部材３００を押し込む。すると、前記棒状部材３００は、図５に示すように、２つの取付部材２００の間に掛け渡されることになる。このようにして取り付けられた棒状部材３００は、ハンガー掛けや図示しない棚板の支持に用いられる。
【００２９】
　上述した説明では、棒状部材３００を外形が円形のパイプ材であるとしたが、角形のパイプ材であっても、あるいは他の形状（例えば、中実材）であってもよい。棒状部材３００が角材である場合の棒状部材支持部材１００Ｂでは、図６に示すように、支持部１１０Ｂは角材である棒状部材３００の外形に対応して略凹字形状に形成される。その際、開放側の両端の間隔を棒状部材３００の外寸より若干小さくしておくと、棒状部材３００の棒状部材支持部材１００Ｂによる支持が強固なものとなる。なお、この棒状部材支持部材１００Ｂの他の部分は、上述した棒状部材支持部材１００Ａと同様に構成されている。
【００３０】
　また、上述した説明では、棒状部材支持部材１００Ａは、金属板を折曲等して形成したとしたが、合成樹脂から形成されるものであっもよいことはいうまでもない。
【図面の簡単な説明】
【００３１】
【図１】本考案に係る棒状部材支持部材の図面であって、同図（Ａ）は概略的平面図、同図（Ｂ）は概略的正面図、同図（Ｃ）は概略的側面図である。
【図２】本考案に係る棒状部材支持部材を取付部材に取り付けた状態を示す概略的斜視図である。
【図３】本考案に係る棒状部材支持部材を取付部材に取り付けた状態を示す概略的断面図である。
【図４】本考案に係る棒状部材支持部材を取付部材に取り付ける手順を示す概略的説明図である。
【図５】本考案に係る棒状部材支持部材を用いて棒状部材を取り付けた状態を示す概略的側面図である。
【図６】本考案に係る他の棒状部材支持部材の概略的斜視図である。
【符号の説明】
【００３２】
　１００Ａ　棒状部材支持部材
　１１０Ａ　支持部
　１２０Ａ　係止部
　２００　　取付部材
　２１０　　開口部
　３００　　棒状部材
　４００　　壁面
【図１】
0003099960.tif 000003
【図２】
0003099960.tif 000004
【図３】
0003099960.tif 000005
【図４】
0003099960.tif 000006
【図５】
0003099960.tif 000007
【図６】
0003099960.tif 000008
【手続補正書】
【提出日】平成15年10月29日(2003.10.29)
【手続補正１】
【補正対象書類名】実用新案登録請求の範囲
【補正対象項目名】請求項３
【補正方法】変更
【補正の内容】
【請求項３】
　前記支持部の開放側の両端の間隔は、支持すべき棒状部材の外寸より若干小さく設定されており、かつ支持部の最大内寸は、支持すべき棒状部材の外寸とほぼ等しく設定されていることを特徴とする請求項２記載の棒状部材支持部材。